(57)【要約】【課題】居住者ができるだけ無線子機を携行することができるようにする。【解決手段】無線子機１は、常に確認信号を受信できる状態であり、確認信号を受信すると応答信号を送信する。管理室親機３０は、応答信号を受信した無線機１０を特定して無線子機１の現在位置を特定する。居住者の外出が検出された場合に、管理室親機３０は無線機１０により確認信号を送信させて無線子機１の現在位置が住戸内であるか否かを判定し、住戸内であると判定したときには、住戸の玄関近傍に設置された報知部２０により無線子機１が居住者により携行されていないことを報知するようにしているので、居住者が無線子機１を住戸内に置いたままで、居住者の外出が検出された場合には、居住者が居ると思われる玄関付近で、無線子機１が居住者により携行されていないことが報知されるので、その報知に気付いた居住者が無線子機１を取りに住戸内に戻ると考えられる。【選択図】図１
2012068824.tif 000002
【特許請求の範囲】
【請求項１】
居住者によって携行される無線子機と、集合住宅内の各住戸および前記集合住宅内の各共用部に分散配置される無線機と、管理室に設置される管理室親機とを備えた緊急通報システムであって、
前記無線子機は、
前記無線子機に固有に割り当てられた子機識別情報を記憶する子機記憶部と、
前記子機記憶部に記憶された子機識別情報を含む応答信号を生成する子機制御部と、
前記無線機から送信された確認信号を受信するとともに、前記確認信号を受信した場合に、前記子機制御部により生成された応答信号を無線送信する子機送受信部と、
前記無線機は、
前記無線子機が送信した応答信号を受信するとともに、確認信号を送信する送受信部と、
前記送受信部が受信した応答信号の受信レベルを測定し受信レベル情報として出力する測定部と、
前記送受信部が受信した応答信号と前記測定部から入力した受信レベル情報とを関連付けて出力する無線機制御部とを備え、
前記管理室親機は、
前記無線機が設置された場所を示す設置場所情報を記憶する親機記憶部と、
前記無線機により前記無線子機の存在を確認するための確認信号を送信させるとともに、前記無線機から出力された応答信号と受信レベル情報とを入力し、前記受信レベル情報を解析して受信レベルが高い無線機の設置場所情報を前記親機記憶部から抽出して、前記無線子機の位置を特定するとともに、集合住宅内の住戸において不在の設定がなされた場合に、前記無線機により確認信号を送信させて前記住戸を使用する居住者が使用する無線子機の現在位置が前記住戸内であるか否かを判定して、前記無線子機の現在位置が住戸内であると判定したときには、前記住戸の玄関近傍に設置された報知装置により無線子機が居住者により携行されていないことを報知させる親機制御部とを備えたことを特徴とする緊急通報システム。
【発明の詳細な説明】
【技術分野】
【０００１】
本発明は、集合住宅などにおける居住者からの呼び出しを管理人などに通報する緊急通報システムに関する。
【背景技術】
【０００２】
従来、緊急通報システムでは、居住者が居住している住戸内に設置される子機に搭載される呼出操作部を居住者が押下することで、管理室に設置された管理室親機が呼び出し音を出力するなどして報知の動作を行い、居住者が管理室に居る管理人を呼び出すようにしている。
【０００３】
このような緊急通報システムが集合住宅に適用される場合、居住者は、自分が居住している住戸内だけではなく、その他の場所でも管理人を呼び出す必要に迫られるケースがある。このようなケースは、居住者が集合住宅の玄関と自身が居住する住戸との間の移動の際や居住者が集合住宅内に設置された共用施設と自身が居住する住戸との間を移動する際に起こり得る。そのため、居住者によって携行される無線子機および管理人が居る管理室に設置された管理室親機を無線により接続し、居住者が無線子機の呼出操作部を操作することにより、管理室親機が呼び出し音を出力するなどして報知の動作を行うようにしている。
【０００４】
ところで、住戸内で呼び出しを行う場合には、住戸内に設置された子機がその住戸に固定されているため、管理室親機では、子機から入力した識別情報を解析することで呼び出しを行った住戸を特定し、その住戸の部屋番号を表示するなどして、呼び出しが行われた場所を特定することができる。しかしながら、無線子機から呼び出しが行われた場合には、無線子機が無線子機を携行している居住者とともに移動していることから、管理室親機では、無線子機から受信した識別情報を解析することで、呼び出しを行った居住者を特定することはできるものの、呼び出しが行われた場所を特定することができなくなってしまうという問題があった。
【０００５】
このような問題を解決するために、設置位置が特定された状態で構内の各所に無線機を設置し、複数の無線機が無線端末（無線子機）からのデータを受信した場合に、強度が強い二つの無線機を特定し、その無線機の設置位置を呼び出し位置の候補として表示するようにした位置検出システムが知られている（例えば、特許文献１など）。
【先行技術文献】
【特許文献】
【０００６】
【特許文献１】特開２００６−３８８１７号公報
【発明の概要】
【発明が解決しようとする課題】
【０００７】
しかしながら、上述した特許文献１に記載の技術を含む従来技術では、居住者が無線子機を住戸内に置いたまま移動してしまうと、居住者が呼び出しを行うことができなくなってしまうという問題があった。本発明は、このような問題を解決するために成されたものであり、居住者ができるだけ無線子機を携行することができるようにすることを目的とする。
【課題を解決するための手段】
【０００８】
上述した課題を解決するために、本発明では、居住者によって携行される無線子機は、常に無線子機の現在位置を確認するための確認信号を受信できる状態であり、確認信号を受信すると応答信号を送信するようにしている。無線子機を管理する管理室親機は、応答信号を受信した無線機を特定することで、無線子機の現在位置を特定するようにしている。そして、居住者の外出が検出された場合に、管理室親機は無線機により確認信号を送信させて無線子機の現在位置が住戸内であるか否かを判定し、無線子機の現在位置が住戸内であると判定したときには、住戸の玄関近傍に設置された報知部により無線子機が居住者により携行されていないことを報知するようにしている。
【発明の効果】
【０００９】
上記のように構成した本発明によれば、居住者が無線子機を置いたまま、居住者の外出が検出された場合には、居住者が居ると思われる玄関付近で、無線子機が居住者により携行されていないことが報知されるので、その報知に気付いた居住者が無線子機を取りに住戸内に戻ると考えられるため、居住者にできるだけ無線子機を携行させるようにすることができる。
【図面の簡単な説明】
【００１０】
【図１】本実施形態による緊急通報システムの機器配置例を示す図である。
【図２】本実施形態による緊急通報システムの構成例を示すブロック図である。
【発明を実施するための形態】
【００１１】
以下、本発明の一実施形態を図面に基づいて説明する。図１は、本実施形態による緊急通報システムの機器配置例を示す図である。また、図２は、本実施形態による緊急通報システムの構成例を示すブロック図である。図１および図２に示すように、本実施形態による緊急通報システムは、無線子機１、無線機１０（１０ａ〜１０ｆ）、報知装置２０（２０ａ〜２０ｃ）、管理室親機３０を備えて構成されている。
【００１２】
ここで、無線子機１は、居住者により携行され、無線子機１の筐体に取り付けられた紐などにより居住者の首などに掛けられる。また、本実施形態では、居住者が住んでいる住戸を１０２号室としており、同じフロアには、１０１号室〜１０３号室までの住戸が存在している。また、１０１号室には無線機１０ａが、１０２号室には無線機１０ｂが、１０３号室には無線機１０ｃが天井などにそれぞれ設置されている。また、廊下には、１０１号室の近傍の天井などに無線機１０ｄが、１０２号室の近傍の天井などに無線機１０ｅが、１０３号室の近傍の天井などに無線機１０ｆがそれぞれ設置されている。つまり、無線機１０は、居住者が集合住宅内の何処に居ても無線子機１から送信される呼出信号（後述する）や応答信号（後述する）を受信できるように分散配置されている。また、無線機１０ａ〜１０ｆは、管理室に設置された管理室親機３０に接続されている。
【００１３】
また、玄関には居住者の外出および帰宅を検出する図示しない検出装置が設置されており、管理室親機３０に接続されている。ここで、検出装置は、電気錠などにより構成されており、電気錠が外から施錠された場合には外出を検出して外出信号を出力し、電気錠が解錠された場合、または、電気錠が内側から施錠された場合には帰宅を検出して帰宅信号を出力する。
【００１４】
無線子機１は、子機制御部２、呼出操作部３、子機記憶部４、子機送受信部５を備えて構成されている。子機制御部２は、無線子機１の各構成要素を後述するように制御するためのものであり、ＣＰＵ（Central Processing Unit）などにより構成されている。呼出操作部３は、居住者が管理人を呼び出すために操作される。子機記憶部４は、無線子機１に固有に割り当てられた子機識別情報を記憶する。子機制御部２は、呼出操作部３の操作を検知し、呼出操作部３の操作が検知されると、子機記憶部４から子機識別情報を取得し、この子機識別情報を含む呼出信号を生成する。
【００１５】
子機送受信部５は、子機制御部２にて生成された呼出信号や応答信号を無線送信するとともに、無線機１０から送信された確認信号を受信する。ここで、確認信号は、無線子機１の現在位置を確認するための信号である。また、子機送受信部５は、常に確認信号を受信できる状態となっている。子機送受信部５が確認信号を受信すると、子機制御部２は、子機記憶部４から子機識別情報を取得し、この子機識別情報を含む応答信号を生成する。
【００１６】
無線機１０は、無線機制御部１１、送受信部１２、測定部１３、無線機インターフェース１４とを備えて構成されている。無線機制御部１１は、無線機１０の各構成要素を後述するように制御するためのものであり、ＣＰＵなどにより構成されている。送受信部１２は、無線子機１から送信された呼出信号や応答信号を図示しないアンテナを介して受信するとともに、無線機１０で生成された確認信号を送信する。
【００１７】
測定部１３は、送受信部１２が受信した呼出信号の受信レベルや応答信号の受信レベルを測定して受信レベル情報として無線機制御部１１へ出力する。通常、無線子機１が無線機１０のアンテナに近いほど、測定部１３で測定される呼出信号や応答信号の受信レベルは大きくなる。すなわち、無線子機１が１０１号室の中にあれば、無線機１０ａの受信レベルが大きくなり、１０２号室の中にあれば、無線機１０ｂの受信レベルが大きくなって、１０３号室の中にあれば、無線機１０ｃの受信レベルが大きくなる。また、無線子機１が１０１号室の前の廊下にあれば、無線機１０ｄの受信レベルが大きくなり、１０２号室の前の廊下にあれば、無線機１０ｅの受信レベルが大きくなって、１０３号室の前の廊下にあれば、無線機１０ｆの受信レベルが大きくなる。
【００１８】
無線機インターフェース１４は、無線機１０と管理室親機３０とを接続するためのものであり、管理室親機インターフェース３２との間を有線で接続している。無線機制御部１１は、測定部１３から出力された受信レベル情報を入力する。そして、送受信部１２が受信した呼出信号や応答信号と受信レベル情報とを関連付けて無線機インターフェース１４から出力する。
【００１９】
報知装置２０は、インターホンのスピーカーなどにより構成されており、各住戸の玄関近傍に設置されている。また、報知装置２０は、管理室親機３０に有線などにより接続されている。ここで、１０１号室の玄関には報知装置２０ａが設置されており、１０２号室の玄関には報知装置２０ｂが設置されていて、１０３号室の玄関には報知装置２０ｃが設置されている。この報知装置２０は、後述する条件により、居住者に無線子機１を携行するよう促す報知を行う。
【００２０】
管理室親機３０は、管理室にて管理人が各住戸や各居住者の状況を監視するためのものである。管理室親機３０は、親機制御部３１、管理室親機インターフェース３２、親機記憶部３３、報知部３４、位置表示部３５を備えて構成されている。親機制御部３１は、管理室親機３０の各構成要素を後述するように制御するためのものであり、ＣＰＵなどにより構成されている。管理室親機インターフェース３２は、管理室親機３０と無線機１０とを接続するためのものであり、無線機インターフェース１４との間を有線で接続している。そして、親機制御部３１は、呼出信号とその呼出信号に関連付けられた受信レベル情報を、管理室親機インターフェース３２を介して無線機１０から入力する。
【００２１】
ここで、管理室親機インターフェース３２では、接続されている無線機１０を識別可能である。例えば、管理室親機インターフェース３２の入力端子の位置に応じて無線機１０を識別可能としても良いし、各無線機１０に無線機識別情報を記憶させるようにしても良い。また、複数の無線機１０が無線子機１から送信された呼出信号や応答信号を受信した場合には、親機制御部３１は、子機識別情報が同一である呼出信号や応答信号を複数入力することになる。親機記憶部３３は、集合住宅内に設置された全ての無線機１０の設置場所を示す設置場所情報を記憶している。これにより、管理室親機３０では、全ての無線機１０の設置場所を把握することができる。また、親機記憶部３３は、全ての居住者が居住する住戸を示す情報（例えば、部屋番号など）を子機識別情報（住居者を識別する情報）に関連付けて記憶している。
【００２２】
報知部３４は、居住者から呼び出しがあったことを報知するためのものであり、スピーカなどの放音装置や液晶ディスプレイなどの表示装置により構成される。また、報知部３４にて報知する場合に、親機制御部３１は、呼出信号に含まれる子機識別情報によって、呼び出しを行った居住者を特定し、その名前を報知部の表示装置に表示させるようにしている。位置表示部３５は、居住者が呼び出しを行った場合に、呼び出し位置の候補を表示する。ここで、位置表示部３５は、液晶ディスプレイなどの表示装置により構成されており、報知部３４の表示装置と兼用されていても良い。管理室親機インターフェース３２が、子機識別情報が同一である呼出信号を複数の無線機１０から入力すると、親機制御部３１は、それぞれの呼出信号に関連付けられている受信レベル情報を解析する。その結果、親機制御部３１は、受信レベルが最も大きい無線機１０を特定し、親機記憶部３３に記憶されている設置場所情報を取得する。そして、親機制御部３１は、位置表示部３５を制御して、居住者が呼び出しを行った位置の候補を表示する。
【００２３】
また、居住者が住戸から外出すると、検出装置が居住者の外出を検出する。すると、親機制御部３１は、各所に設置された無線機１０を制御して、確認信号を送信させる。各無線機１０では、無線機制御部１１にて確認信号を生成し、送受信部１２が無線機制御部１１にて生成された確認信号を送信する。ここで、図２に示すように、１０２号室で居住者の外出が検出された場合には、各無線機１０ａ〜１０ｆにて確認信号が送信される。１０２号室の居住者の無線子機１は、確認信号を受信して、子機制御部２にて応答信号を生成し、子機送受信部５が子機制御部２にて生成された応答信号を送信する。無線子機１から送信された応答信号は、各無線機１０にて受信される。応答信号を受信した無線機１０は、応答信号とともに受信レベル情報を管理室親機３０へ出力する。
【００２４】
管理室親機インターフェース３２は、応答信号および受信レベル情報を各無線機１０から入力し、親機制御部３１は、それぞれの応答信号に関連付けられている受信レベル情報を解析する。その結果、親機制御部３１は、受信レベルが最も大きい無線機１０ｅを特定し、親機記憶部３３に記憶されている設置場所情報を取得する。親機制御部３１は、取得した設置場所情報により特定される設置場所が住戸内であるか否かを判定する。１０２号室の居住者は、無線子機１を携行して外出しているため、親機制御部３１は、設置場所が住戸内ではないと判断して処理を終了する。
【００２５】
一方、図２に示すように、１０１号室で居住者の外出が検出された場合には、各無線機１０ａ〜１０ｆにて確認信号が送信される。１０１号室の居住者の無線子機１は、確認信号を受信して、子機制御部２にて応答信号を生成し、子機送受信部５が子機制御部２にて生成された応答信号を送信する。無線子機１から送信された応答信号は、各無線機１０にて受信される。応答信号を受信した無線機１０は、応答信号とともに受信レベル情報を管理室親機３０へ出力する。管理室親機インターフェース３２は、応答信号および受信レベル情報を各無線機１０から入力し、親機制御部３１は、それぞれの応答信号に関連付けられている受信レベル情報を解析する。その結果、親機制御部３１は、受信レベルが最も大きい無線機１０ｄを特定し、親機記憶部３３に記憶されている設置場所情報を取得する。親機制御部３１は、取得した設置場所情報により特定される設置場所が住戸内であるか否かを判定する。１０１号室の居住者は無線子機１を携行し忘れて外出しているため、親機制御部３１は、設置場所が住戸内であると判断する。そして、親機制御部３１は、１０１号室の玄関近傍に設置された報知装置２０ａを制御して、居住者に無線子機１を携行するよう促す報知を行わせる。
【００２６】
以上詳しく説明したように、本実施形態によれば、居住者によって携行される無線子機１は、常に無線子機１の現在位置を確認するための確認信号を受信できる状態であり、確認信号を受信すると応答信号を送信するようにしている。無線子機１を管理する管理室親機３０は、応答信号を受信した無線機１０を特定することで、無線子機１の現在位置を特定するようにしている。そして、居住者の外出が検出された場合に、管理室親機３０は無線機１０により確認信号を送信させて無線子機１の現在位置が住戸内であるか否かを判定し、無線子機１の現在位置が住戸内であると判定したときには、住戸の玄関近傍に設置された報知部２０により無線子機１が居住者により携行されていないことを報知するようにしている。
【００２７】
これにより、居住者が無線子機１を住戸内に置いたまま、居住者の外出が検出された場合には、居住者が居ると思われる玄関付近で、無線子機１が居住者により携行されていないことが報知されるので、その報知に気付いた居住者が無線子機１を取りに住戸内に戻ると考えられるため、居住者にできるだけ無線子機１を携行させるようにすることができる。
【００２８】
なお、前述した実施形態では、子機送受信部５が常に確認信号を受信できる状態としているが、これに限定されない。例えば、子機送受信部５が間欠的（例えば、５〜１０秒毎など）に確認信号を受信できるようにしても良い。これにより、無線子機１の電池の消耗を抑制することができる。
【００２９】
また、前述した実施形態では、報知部２０を各住戸の玄関近傍に設置しているが、これに限定されない。例えば、報知部２０を廊下の天井に設置したり、報知部２０を居住者が携行している携帯電話に兼用させたりするようにしても良い。
【００３０】
また、前述した実施形態では、報知部２０を各住戸の玄関近傍に設置しているが、これに限定されない。例えば、管理室親機３０の報知部３４にて報知を行うようにしても良い。これにより、管理人に対して、居住者が無線子機１を携行していないことを通知することができる。
【００３１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１    無線子機
２    子機制御部
３    呼出操作部
４    子機記憶部
５    子機送受信部
１０    無線機
１１    無線機制御部
１２    送受信部
１３    測定部
１４    無線機インターフェース
２０    報知装置
３０    管理室親機
３１    親機制御部
３２    管理室親機インターフェース
３３    親機記憶部
３４    報知部
３５    位置表示部
【図１】
2012068824.tif 000003
【図２】
2012068824.tif 000004